(57)【要約】【課題】  医療施設で使用される薬品や診療材料の費用構成を分析する院内費用分析システムに係り、診療報酬の対象分と対象外の分、診療報酬請求済みの分と未請求の分、更に医療施設内に滞留する分の費用内訳を求め、医療施設の経営判断に役立つ指標を提供する医療経営支援技術に関する。【解決手段】  財務データベースから得られる所定期間内の薬品費（診療材料費も同様）の内訳として、レセプト対象で請求済の分のレセプト請求済薬品費を算出し（Ｓ１０５）、レセプト対象で未請求の分のレセプト未請求薬品費を算出し（Ｓ１０６）、レセプト対象外の分のレセプト対象外薬品費を算出し（Ｓ１０８）、廃棄した薬品分の廃棄損を算出し（Ｓ１０７，Ｓ１０９）、医療施設内に滞留する分の院内物流管理薬品費を算出し（Ｓ１１１）、これらを薬品費の内訳として出力する（Ｓ１１２）。【選択図】        図２
2007058280.tif 000002
【特許請求の範囲】
【請求項１】
医療施設で使用される薬品の薬品費を分析する院内費用分析システムであって、
（１）所定期間内に購入した薬品の薬品費を提供可能な財務データベースと、
（２）所定期間内に消費した薬品の消費金額と、所定期間内に廃棄した薬品の廃棄金額を提供可能な物流管理データベースと、
（３）所定期間内に診療報酬を請求した薬品の量である請求量を提供可能なレセプトデータベースと、
（４）所定期間内に消費し又は廃棄した各薬品について、診療報酬の請求対象であるか否かを判定するレセプト対象判定部と、
（５）診療報酬の請求対象であると判定した薬品群について、それぞれレセプトデータベースから所定期間内に診療報酬を請求した薬品の請求量を取得し、請求量に単価を乗じて請求金額を求め、これらの薬品群の請求金額を合算して、レセプト請求済薬品費を算出するレセプト請求済薬品費算出部と、
（６）診療報酬の請求対象であると判定した薬品群について、それぞれ物流管理データベースから所定期間内に消費した薬品の消費金額を取得し、消費金額から当該薬品の前記請求金額を差し引いて未請求金額を求め、これらの薬品群の未請求金額を合算して、レセプト未請求薬品費を算出するレセプト未請求薬品費算出部と、
（７）診療報酬の請求対象でないと判定した薬品群について、それぞれ物流管理データベースから所定期間内に消費した薬品の消費金額を取得し、これらの薬品群の消費金額を合算して、レセプト対象外薬品費を算出するレセプト対象外薬品費算出部と、
（８）診療報酬の請求対象であると判定した薬品群と、診療報酬の請求対象でないと判定した薬品群について、それぞれ物流管理データベースから所定期間内に廃棄した薬品の廃棄金額を取得し、これらの薬品群の廃棄金額を合算して、廃棄損を算出する廃棄損算出部と、
（９）財務データベースから、所定期間内に購入した薬品費を取得し、当該薬品費から前記レセプト請求済薬品費と、前記レセプト未請求薬品費と、前記レセプト対象外薬品費と、前記廃棄損を差し引いて、当該医療施設内で物流管理されている薬品分の費用に相当する院内物流管理薬品費を算出する院内物流管理薬品費算出部と、
（１０）所定期間内に購入した薬品費の内訳として、前記レセプト請求済薬品費と、前記レセプト未請求薬品費と、前記レセプト対象外薬品費と、前記廃棄損と、前記院内物流管理薬品費を出力する内訳出力部を有することを特徴とする院内費用分析システム。
【請求項２】
所定期間内に購入した薬品の薬品費を提供可能な財務データベースと、所定期間内に消費した薬品の消費金額と、所定期間内に廃棄した薬品の廃棄金額を提供可能な物流管理データベースと、所定期間内に診療報酬を請求した薬品の量である請求量を提供可能なレセプトデータベースを有し、医療施設で使用される薬品の薬品費を分析する院内費用分析システムとなるコンピュータに、
（１）所定期間内に消費し又は廃棄した各薬品について、診療報酬の請求対象であるか否かを判定するレセプト対象判定処理手順と、
（２）診療報酬の請求対象であると判定した薬品群について、それぞれレセプトデータベースから所定期間内に診療報酬を請求した薬品の請求量を取得し、請求量に単価を乗じて請求金額を求め、これらの薬品群の請求金額を合算して、レセプト請求済薬品費を算出するレセプト請求済薬品費算出処理手順と、
（３）診療報酬の請求対象であると判定した薬品群について、それぞれ物流管理データベースから所定期間内に消費した薬品の消費金額を取得し、消費金額から当該薬品の前記請求金額を差し引いて未請求金額を求め、これらの薬品群の未請求金額を合算して、レセプト未請求薬品費を算出するレセプト未請求薬品費算出処理手順と、
（４）診療報酬の請求対象でないと判定した薬品群について、それぞれ物流管理データベースから所定期間内に消費した薬品の消費金額を取得し、これらの薬品群の消費金額を合算して、レセプト対象外薬品費を算出するレセプト対象外薬品費算出処理手順と、
（５）診療報酬の請求対象であると判定した薬品群と、診療報酬の請求対象でないと判定した薬品群について、それぞれ物流管理データベースから所定期間内に廃棄した薬品の廃棄金額を取得し、これらの薬品群の廃棄金額を合算して、廃棄損を算出する廃棄損算出処理手順と、
（６）財務データベースから、所定期間内に購入した薬品費を取得し、当該薬品費から前記レセプト請求済薬品費と、前記レセプト未請求薬品費と、前記レセプト対象外薬品費と、前記廃棄損を差し引いて、当該医療施設内で物流管理されている薬品分の費用に相当する院内物流管理薬品費を算出する院内物流管理薬品費算出処理手順と、
（７）所定期間内に購入した薬品費の内訳として、前記レセプト請求済薬品費と、前記レセプト未請求薬品費と、前記レセプト対象外薬品費と、前記廃棄損と、前記院内物流管理薬品費を出力する内訳出力処理手順を実行させるためのプログラム。
【請求項３】
医療施設で使用される診療材料の診療材料費を分析する院内費用分析システムであって、
（１）所定期間内に購入した診療材料の診療材料費を提供可能な財務データベースと、
（２）所定期間内に消費した診療材料の消費金額と、所定期間内に廃棄した診療材料の廃棄金額を提供可能な物流管理データベースと、
（３）所定期間内に診療報酬を請求した診療材料の量である請求量を提供可能なレセプトデータベースと、
（４）所定期間内に消費し又は廃棄した各診療材料について、診療報酬の請求対象であるか否かを判定するレセプト対象判定部と、
（５）診療報酬の請求対象であると判定した診療材料群について、それぞれレセプトデータベースから所定期間内に診療報酬を請求した診療材料の請求量を取得し、請求量に単価を乗じて請求金額を求め、これらの診療材料群の請求金額を合算して、レセプト請求済診療材料費を算出するレセプト請求済診療材料費算出部と、
（６）診療報酬の請求対象であると判定した診療材料群について、それぞれ物流管理データベースから所定期間内に消費した診療材料の消費金額を取得し、消費金額から当該診療材料の前記請求金額を差し引いて未請求金額を求め、これらの診療材料群の未請求金額を合算して、レセプト未請求診療材料費を算出するレセプト未請求診療材料費算出部と、
（７）診療報酬の請求対象でないと判定した診療材料群について、それぞれ物流管理データベースから所定期間内に消費した診療材料の消費金額を取得し、これらの診療材料群の消費金額を合算して、レセプト対象外診療材料費を算出するレセプト対象外診療材料費算出部と、
（８）診療報酬の請求対象であると判定した診療材料群と、診療報酬の請求対象でないと判定した診療材料群について、それぞれ物流管理データベースから所定期間内に廃棄した診療材料の廃棄金額を取得し、これらの診療材料群の廃棄金額を合算して、廃棄損を算出する廃棄損算出部と、
（９）財務データベースから、所定期間内に購入した診療材料費を取得し、当該診療材料費から前記レセプト請求済診療材料費と、前記レセプト未請求診療材料費と、前記レセプト対象外診療材料費と、前記廃棄損を差し引いて、当該医療施設内で物流管理されている診療材料分の費用に相当する院内物流管理診療材料費を算出する院内物流管理診療材料費算出部と、
（１０）所定期間内に購入した診療材料費の内訳として、前記レセプト請求済診療材料費と、前記レセプト未請求診療材料費と、前記レセプト対象外診療材料費と、前記廃棄損と、前記院内物流管理診療材料費を出力する内訳出力部を有することを特徴とする院内費用分析システム。
【請求項４】
所定期間内に購入した診療材料の診療材料費を提供可能な財務データベースと、所定期間内に消費した診療材料の消費金額と、所定期間内に廃棄した診療材料の廃棄金額を提供可能な物流管理データベースと、所定期間内に診療報酬を請求した診療材料の量である請求量を提供可能なレセプトデータベースを有し、医療施設で使用される診療材料の診療材料費を分析する院内費用分析システムとなるコンピュータに、
（１）所定期間内に消費し又は廃棄した各診療材料について、診療報酬の請求対象であるか否かを判定するレセプト対象判定処理手順と、
（２）診療報酬の請求対象であると判定した診療材料群について、それぞれレセプトデータベースから所定期間内に診療報酬を請求した診療材料の請求量を取得し、請求量に単価を乗じて請求金額を求め、これらの診療材料群の請求金額を合算して、レセプト請求済診療材料費を算出するレセプト請求済診療材料費算出処理手順と、
（３）診療報酬の請求対象であると判定した診療材料群について、それぞれ物流管理データベースから所定期間内に消費した診療材料の消費金額を取得し、消費金額から当該診療材料の前記請求金額を差し引いて未請求金額を求め、これらの診療材料群の未請求金額を合算して、レセプト未請求診療材料費を算出するレセプト未請求診療材料費算出処理手順と、
（４）診療報酬の請求対象でないと判定した診療材料群について、それぞれ物流管理データベースから所定期間内に消費した診療材料の消費金額を取得し、これらの診療材料群の消費金額を合算して、レセプト対象外診療材料費を算出するレセプト対象外診療材料費算出処理手順と、
（５）診療報酬の請求対象であると判定した診療材料群と、診療報酬の請求対象でないと判定した診療材料群について、それぞれ物流管理データベースから所定期間内に廃棄した診療材料の廃棄金額を取得し、これらの診療材料群の廃棄金額を合算して、廃棄損を算出する廃棄損算出処理手順と、
（６）財務データベースから、所定期間内に購入した診療材料費を取得し、当該診療材料費から前記レセプト請求済診療材料費と、前記レセプト未請求診療材料費と、前記レセプト対象外診療材料費と、前記廃棄損を差し引いて、当該医療施設内で物流管理されている診療材料分の費用に相当する院内物流管理診療材料費を算出する院内物流管理診療材料費算出処理手順と、
（７）所定期間内に購入した診療材料費の内訳として、前記レセプト請求済診療材料費と、前記レセプト未請求診療材料費と、前記レセプト対象外診療材料費と、前記廃棄損と、前記院内物流管理診療材料費を出力する内訳出力処理手順を実行させるためのプログラム。
【発明の詳細な説明】
【技術分野】
【０００１】
本発明は、医療施設で使用される薬品や診療材料の費用構成を分析する院内費用分析システムに係り、診療報酬（レセプト）の対象分と対象外の分、診療報酬請求済みの分と未請求の分、更に医療施設内に滞留する分の費用内訳を求め、医療施設の経営判断に役立つ指標を提供する医療経営支援技術に関する。
【背景技術】
【０００２】
近年、医療施設の経営判断を支援するシステムが提案されている。例えば、特開２００４−２１３２３６には、病院全体としての収支状況を把握した上で、具体的な経営改善策へつなげる為の原価計算方法が提案されている。具体的には、直接部門の収入に対する直接費の比率を求めるものである。
【０００３】
また、特開２００３−２５６５６３には、費用と収入のバランスの分析する病院情報支援装置が提案されている。患者毎の費用と収益をグラフ化するものである。
【０００４】
いずれも、収支と費用の関係から効率化の指標を得ようとするものであって、医療施設の費用に対する分析はなされていない。
【０００５】
医療施設の費用となる薬品費や診療材料費は、レセプトの対象と成り得るものであり、購入した薬品や診療材料が、どの程度消費され、またレセプト請求されているかという費用構成は、資金の循環を把握する上で重要な指標となるものである。また、薬品や診療材料の中には、必要以上に医療施設内に留まっているものもある。
【特許文献１】特開２００４−２１３２３６号公報
【特許文献２】特開２００３−２５６５６３号公報
【発明の開示】
【発明が解決しようとする課題】
【０００６】
そこで、本発明は、薬品費や診療材料費を分析し、その内訳を知ることによって、薬品や診療材料の購入や消費について健全性を推し量る指標を得ることを課題としている。
【課題を解決するための手段】
【０００７】
本発明に係る院内費用分析システムは、
医療施設で使用される薬品の薬品費を分析する院内費用分析システムであって、
（１）所定期間内に購入した薬品の薬品費を提供可能な財務データベースと、
（２）所定期間内に消費した薬品の消費金額と、所定期間内に廃棄した薬品の廃棄金額を提供可能な物流管理データベースと、
（３）所定期間内に診療報酬を請求した薬品の量である請求量を提供可能なレセプトデータベースと、
（４）所定期間内に消費し又は廃棄した各薬品について、診療報酬の請求対象であるか否かを判定するレセプト対象判定部と、
（５）診療報酬の請求対象であると判定した薬品群について、それぞれレセプトデータベースから所定期間内に診療報酬を請求した薬品の請求量を取得し、請求量に単価を乗じて請求金額を求め、これらの薬品群の請求金額を合算して、レセプト請求済薬品費を算出するレセプト請求済薬品費算出部と、
（６）診療報酬の請求対象であると判定した薬品群について、それぞれ物流管理データベースから所定期間内に消費した薬品の消費金額を取得し、消費金額から当該薬品の前記請求金額を差し引いて未請求金額を求め、これらの薬品群の未請求金額を合算して、レセプト未請求薬品費を算出するレセプト未請求薬品費算出部と、
（７）診療報酬の請求対象でないと判定した薬品群について、それぞれ物流管理データベースから所定期間内に消費した薬品の消費金額を取得し、これらの薬品群の消費金額を合算して、レセプト対象外薬品費を算出するレセプト対象外薬品費算出部と、
（８）診療報酬の請求対象であると判定した薬品群と、診療報酬の請求対象でないと判定した薬品群について、それぞれ物流管理データベースから所定期間内に廃棄した薬品の廃棄金額を取得し、これらの薬品群の廃棄金額を合算して、廃棄損を算出する廃棄損算出部と、
（９）財務データベースから、所定期間内に購入した薬品費を取得し、当該薬品費から前記レセプト請求済薬品費と、前記レセプト未請求薬品費と、前記レセプト対象外薬品費と、前記廃棄損を差し引いて、当該医療施設内で物流管理されている薬品分の費用に相当する院内物流管理薬品費を算出する院内物流管理薬品費算出部と、
（１０）所定期間内に購入した薬品費の内訳として、前記レセプト請求済薬品費と、前記レセプト未請求薬品費と、前記レセプト対象外薬品費と、前記廃棄損と、前記院内物流管理薬品費を出力する内訳出力部とを有することを特徴とする。
【０００８】
本発明に係るプログラムは、
所定期間内に購入した薬品の薬品費を提供可能な財務データベースと、所定期間内に消費した薬品の消費金額と、所定期間内に廃棄した薬品の廃棄金額を提供可能な物流管理データベースと、所定期間内に診療報酬を請求した薬品の量である請求量を提供可能なレセプトデータベースを有し、医療施設で使用される薬品の薬品費を分析する院内費用分析システムとなるコンピュータに、
（１）所定期間内に消費し又は廃棄した各薬品について、診療報酬の請求対象であるか否かを判定するレセプト対象判定処理手順と、
（２）診療報酬の請求対象であると判定した薬品群について、それぞれレセプトデータベースから所定期間内に診療報酬を請求した薬品の請求量を取得し、請求量に単価を乗じて請求金額を求め、これらの薬品群の請求金額を合算して、レセプト請求済薬品費を算出するレセプト請求済薬品費算出処理手順と、
（３）診療報酬の請求対象であると判定した薬品群について、それぞれ物流管理データベースから所定期間内に消費した薬品の消費金額を取得し、消費金額から当該薬品の前記請求金額を差し引いて未請求金額を求め、これらの薬品群の未請求金額を合算して、レセプト未請求薬品費を算出するレセプト未請求薬品費算出処理手順と、
（４）診療報酬の請求対象でないと判定した薬品群について、それぞれ物流管理データベースから所定期間内に消費した薬品の消費金額を取得し、これらの薬品群の消費金額を合算して、レセプト対象外薬品費を算出するレセプト対象外薬品費算出処理手順と、
（５）診療報酬の請求対象であると判定した薬品群と、診療報酬の請求対象でないと判定した薬品群について、それぞれ物流管理データベースから所定期間内に廃棄した薬品の廃棄金額を取得し、これらの薬品群の廃棄金額を合算して、廃棄損を算出する廃棄損算出処理手順と、
（６）財務データベースから、所定期間内に購入した薬品費を取得し、当該薬品費から前記レセプト請求済薬品費と、前記レセプト未請求薬品費と、前記レセプト対象外薬品費と、前記廃棄損を差し引いて、当該医療施設内で物流管理されている薬品分の費用に相当する院内物流管理薬品費を算出する院内物流管理薬品費算出処理手順と、
（７）所定期間内に購入した薬品費の内訳として、前記レセプト請求済薬品費と、前記レセプト未請求薬品費と、前記レセプト対象外薬品費と、前記廃棄損と、前記院内物流管理薬品費を出力する内訳出力処理手順を実行させることを特徴とする。
【０００９】
本発明に係る院内費用分析システムは、
医療施設で使用される診療材料の診療材料費を分析する院内費用分析システムであって、
（１）所定期間内に購入した診療材料の診療材料費を提供可能な財務データベースと、
（２）所定期間内に消費した診療材料の消費金額と、所定期間内に廃棄した診療材料の廃棄金額を提供可能な物流管理データベースと、
（３）所定期間内に診療報酬を請求した診療材料の量である請求量を提供可能なレセプトデータベースと、
（４）所定期間内に消費し又は廃棄した各診療材料について、診療報酬の請求対象であるか否かを判定するレセプト対象判定部と、
（５）診療報酬の請求対象であると判定した診療材料群について、それぞれレセプトデータベースから所定期間内に診療報酬を請求した診療材料の請求量を取得し、請求量に単価を乗じて請求金額を求め、これらの診療材料群の請求金額を合算して、レセプト請求済診療材料費を算出するレセプト請求済診療材料費算出部と、
（６）診療報酬の請求対象であると判定した診療材料群について、それぞれ物流管理データベースから所定期間内に消費した診療材料の消費金額を取得し、消費金額から当該診療材料の前記請求金額を差し引いて未請求金額を求め、これらの診療材料群の未請求金額を合算して、レセプト未請求診療材料費を算出するレセプト未請求診療材料費算出部と、
（７）診療報酬の請求対象でないと判定した診療材料群について、それぞれ物流管理データベースから所定期間内に消費した診療材料の消費金額を取得し、これらの診療材料群の消費金額を合算して、レセプト対象外診療材料費を算出するレセプト対象外診療材料費算出部と、
（８）診療報酬の請求対象であると判定した診療材料群と、診療報酬の請求対象でないと判定した診療材料群について、それぞれ物流管理データベースから所定期間内に廃棄した診療材料の廃棄金額を取得し、これらの診療材料群の廃棄金額を合算して、廃棄損を算出する廃棄損算出部と、
（９）財務データベースから、所定期間内に購入した診療材料費を取得し、当該診療材料費から前記レセプト請求済診療材料費と、前記レセプト未請求診療材料費と、前記レセプト対象外診療材料費と、前記廃棄損を差し引いて、当該医療施設内で物流管理されている診療材料分の費用に相当する院内物流管理診療材料費を算出する院内物流管理診療材料費算出部と、
（１０）所定期間内に購入した診療材料費の内訳として、前記レセプト請求済診療材料費と、前記レセプト未請求診療材料費と、前記レセプト対象外診療材料費と、前記廃棄損と、前記院内物流管理診療材料費を出力する内訳出力部とを有することを特徴とする。
【００１０】
本発明に係るプログラムは、
所定期間内に購入した診療材料の診療材料費を提供可能な財務データベースと、所定期間内に消費した診療材料の消費金額と、所定期間内に廃棄した診療材料の廃棄金額を提供可能な物流管理データベースと、所定期間内に診療報酬を請求した診療材料の量である請求量を提供可能なレセプトデータベースを有し、医療施設で使用される診療材料の診療材料費を分析する院内費用分析システムとなるコンピュータに、
（１）所定期間内に消費し又は廃棄した各診療材料について、診療報酬の請求対象であるか否かを判定するレセプト対象判定処理手順と、
（２）診療報酬の請求対象であると判定した診療材料群について、それぞれレセプトデータベースから所定期間内に診療報酬を請求した診療材料の請求量を取得し、請求量に単価を乗じて請求金額を求め、これらの診療材料群の請求金額を合算して、レセプト請求済診療材料費を算出するレセプト請求済診療材料費算出処理手順と、
（３）診療報酬の請求対象であると判定した診療材料群について、それぞれ物流管理データベースから所定期間内に消費した診療材料の消費金額を取得し、消費金額から当該診療材料の前記請求金額を差し引いて未請求金額を求め、これらの診療材料群の未請求金額を合算して、レセプト未請求診療材料費を算出するレセプト未請求診療材料費算出処理手順と、
（４）診療報酬の請求対象でないと判定した診療材料群について、それぞれ物流管理データベースから所定期間内に消費した診療材料の消費金額を取得し、これらの診療材料群の消費金額を合算して、レセプト対象外診療材料費を算出するレセプト対象外診療材料費算出処理手順と、
（５）診療報酬の請求対象であると判定した診療材料群と、診療報酬の請求対象でないと判定した診療材料群について、それぞれ物流管理データベースから所定期間内に廃棄した診療材料の廃棄金額を取得し、これらの診療材料群の廃棄金額を合算して、廃棄損を算出する廃棄損算出処理手順と、
（６）財務データベースから、所定期間内に購入した診療材料費を取得し、当該診療材料費から前記レセプト請求済診療材料費と、前記レセプト未請求診療材料費と、前記レセプト対象外診療材料費と、前記廃棄損を差し引いて、当該医療施設内で物流管理されている診療材料分の費用に相当する院内物流管理診療材料費を算出する院内物流管理診療材料費算出処理手順と、
（７）所定期間内に購入した診療材料費の内訳として、前記レセプト請求済診療材料費と、前記レセプト未請求診療材料費と、前記レセプト対象外診療材料費と、前記廃棄損と、前記院内物流管理診療材料費を出力する内訳出力処理手順を実行させることを特徴とする。
【発明の効果】
【００１１】
本発明によれば、薬品費や診療材料費を、消費された薬品や診療材料についてのレセプト対象の分と対象外の分、レセプト請求済みの分と未請求の分に切り分け、更に廃棄した分を除いて、医療施設内で物流管理下にある分の費用を算出するので、資金回収の見込みを正確に予測することや、医療施設内における不用な資材の滞留を把握することに役立つ。
【発明を実施するための最良の形態】
【００１２】
実施の形態１．
本発明に係る院内費用分析システムは、病院や診療所等の医療施設で取り扱う薬品や診療材料の費用を分析する機能を有するシステムである。図１は、院内費用分析システムの概要を説明する図である。院内費用分析システムは、財務データベース１、物流管理データベース２、及びレセプトデータベース３を有し、あるいはこれらに接続可能であって、費用分析部４によって、薬品や診療材料の費用を分析する。
【００１３】
財務データベース１は、医療施設における財務管理や会計処理に用いられるデータベースであって、日付と対応付けて、発生した薬品購入金額（薬品費）や診療材料購入金額（診療材料費）を記憶している。そして、費用分析部４からの要求に応じて、月毎や期毎などの所定期間内に発生した薬品購入金額（薬品費）や診療材料購入金額（診療材料費）の合計金額を提供するように構成されている。
【００１４】
物流管理データベース２は、薬品や診療材料の医療施設内の流通に関する情報を扱うデータベースである。物流管理データベース２には、消費管理データテーブル２Ａ及び廃棄管理データテーブル２Ｂが含まれている。消費管理データテーブル２Ａは、所定期間内に消費した薬品や診療材料の情報を記憶し、廃棄管理データテーブル２Ｂは、所定期間内に廃棄した薬品や診療材料の情報を記憶している。そして、物流管理データベース２は、費用分析部４からの要求に応じて、月毎や期毎などの所定期間内に消費した薬品や診療材料の情報、及び同じく所定期間内に廃棄した薬品や診療材料の情報を提供するように構成されている。
【００１５】
レセプトデータベース３は、薬品や診療材料についてレセプト請求に係る情報を扱うデータベースである。そして、費用分析部４からの要求に応じて、月毎や期毎などの所定期間内にレセプト請求した薬品や診療材料の情報を提供するように構成されている。
【００１６】
費用分析部４は、所定期間を対象として、薬品費や診療材料費を分析し、その内訳を出力するように構成さている。以下では、薬品を例として費用分析部４について説明する。
【００１７】
まず、費用分析部４による費用分析処理の全体について説明する。図２は、費用分析の全体処理フローを示す図である。まず前処理として、薬品リスト生成処理（Ｓ１０１）で、薬品リストを生成し、単価算出処理（Ｓ１０２）で、薬品の単価を算出する。
【００１８】
続いて本処理として、薬品毎に以下の処理を繰り返す（Ｓ１０３）。レセプト対象判定処理（Ｓ１０４）では、当該薬品がレセプトの対象であるか否か判定し、レセプトの対象である場合には、消費してレセプト請求した分の薬品費を算出するレセプト請求済薬品費算出処理（Ｓ１０５）と、消費したがレセプト請求していない分の薬品費を算出するレセプト未請求薬品費算出処理（Ｓ１０６）を行なう。そして、当該薬品の廃棄分を求める廃棄損算出処理（Ｓ１０７）を行なう。一方、当該薬品がレセプトの対象でない場合には、消費した分の薬品費を算出するレセプト対象外薬品費算出処理（Ｓ１０８）と、当該薬品の廃棄分を求める廃棄損算出処理（Ｓ１０９）を行なう。
【００１９】
これらの処理を繰り返し、すべての薬品について処理した時点で（Ｓ１１０）、レセプト請求済薬品費、レセプト未請求薬品費、レセプト対象外薬品費、及び廃棄損のいずれにも含まれず、医療施設内の物流管理の対象となっている分の薬品費を算出する院内物流管理薬品費算出処理（Ｓ１１１）を行い、最後に、薬品費の内訳として、レセプト請求済薬品費、レセプト未請求薬品費、レセプト対象外薬品費、廃棄損、及び院内物流管理薬品を含む薬品費内訳データを出力する内訳出力処理（Ｓ１１２）を行なう。この例では、振替伝票の形式のデータを生成して出力する。
【００２０】
まず、薬品リスト生成処理（Ｓ１０１）と単価算出処理（Ｓ１０２）について詳述する。図３は、院内費用分析システムのうち薬品リスト生成と単価計算に係るモジュール構成例を示す図である。院内費用分析システムは、前述の物流管理データベース２とレセプトデータベース３のほか、薬品リスト生成部５、薬品リスト記憶部６、単価算出部７、レセプト対象マスタ記憶部８、及び単価マスタ記憶部９の要素を有している。
【００２１】
薬品リスト生成部５による薬品リスト生成処理（Ｓ１０１）では、物流管理データベース２から薬品コードとそれに対応する薬品名を抽出し、薬品リスト記憶部６に記憶させる。ここで、消費管理データテーブル２Ａと廃棄管理データテーブル２Ｂの構成について説明する。
【００２２】
図４は、物流管理データベースの消費管理データテーブルの例を示す図である。消費管理データテーブル２Ａは、薬品毎のサブテーブルより構成されている。サブテーブルは、ヘッダに薬品コード、薬品名、及び消費単位の項目を有し、更に部署毎にレコードを設け、部署コード、消費金額、及び消費量の項目を対応付けて記憶するように構成されている。これは、所定期間内に部署毎に消費した薬品の金額及び量の総計を表している。尚、便宜上薬品名を設けているが、薬品名は必ずしも要しない。
【００２３】
図５は、物流管理データベースの廃棄管理データテーブルの例を示す図である。廃棄管理データテーブル２Ｂも、薬品毎のサブテーブルより構成されている。サブテーブルは、ヘッダに薬品コード、薬品名、及び廃棄単位の項目を有し、部署毎にレコードを設け、部署コード、廃棄金額、及び廃棄量の項目を対応付けて記憶するように構成されている。これは、所定期間内に部署毎に廃棄した薬品の金額及び量の総計を表している。便宜上薬品名を設けているが、薬品名は必ずしも要しない。
【００２４】
薬品リスト生成処理（Ｓ１０１）では、消費管理データテーブル２Ａと廃棄管理データテーブル２Ｂに含まれる各サブテーブルの薬品について、重複するものは除き、すべての薬品コードと薬品名を順次薬品リスト記憶部６に記憶させる。これにより、薬品リスト記憶部６に薬品リストが生成される。尚、便宜上薬品名を設けているが、薬品名は必ずしも要しない。
【００２５】
図６は、薬品リストの例を示す図である。薬品毎にレコードを設け、薬品コードと薬品名の項目を対応付けて記憶するように構成されている。便宜上薬品名を設けているが、薬品名は必ずしも要しない。
【００２６】
次に、単価算出部７による単価算出処理（Ｓ１０２）で、薬品の単価を算出する。図７は、単価算出処理フローを示す図である。
【００２７】
図８に、この処理により生成される単価マスタの例を示す図である。レセプト対象の薬品毎にレコードを設け、薬品コードと薬品名と単価の項目を対応付けて記憶するように構成される。
【００２８】
薬品リスト記憶部６の薬品リストに含まれる薬品毎に以下の処理を繰り返す（Ｓ２０１）。まず、当該薬品がレセプト対象であるか否かの判定処理を行なう（Ｓ２０２）。この判定では、レセプト対象マスタ記憶部８に記憶されているレセプト対象マスタを用いる。
【００２９】
図９は、レセプト対象マスタの例を示す図である。レセプト対象の薬品毎にレコードを設け、薬品コードと薬品名の項目を対応付けて記憶するように構成されている。
【００３０】
判定対象の薬品の薬品コードが、レセプト対象マスタのいずれかの薬品コードと一致する場合には、レセプト対象と判定し、いずれの薬品コードにも一致しない場合には、レセプト対象ではないと判定する。そして、レセプト対象である場合に、以下の処理を続行する。
【００３１】
レセプトデータベース３から当該薬品の薬品コードを有するサブテーブルを特定し、そのサブテーブルからの請求単位を取得する（Ｓ２０３）。
【００３２】
ここで、レセプトデータベースの構成について説明する。図１０は、レセプトデータベースの例を示す図である。薬品毎のサブテーブルより構成されている。サブテーブルは、ヘッダに薬品コード、薬品名、及び請求単位の項目を有し、部署毎にレコードを設け、部署コードと請求量の項目を対応付けて記憶するように構成されている。これは、所定期間内に部署毎にレセプト請求した薬品量の総計を表している。便宜上薬品名を設けているが、薬品名は必ずしも要しない。
【００３３】
次に、物流管理データベース２の消費管理データテーブル２Ａから当該薬品の薬品コードを有するサブテーブルを特定し、そのサブテーブルから消費単位を取得し（Ｓ２０４）、更に同じサブテーブルから当該薬品の消費量を取得する（Ｓ２０５）。そして、消費量を請求単位に変換する（Ｓ２０６）。例えば薬品Ａの場合には、１００ｇをｍｇ単位に変換するので、１０００００となる。次に、前述の物流管理データベース２の消費管理データテーブル２Ａのサブテーブルから当該薬品の消費金額を取得し（Ｓ２０７）、消費金額を請求単位の消費量で割って、請求単位の単価を求める（Ｓ２０８）。単価マスタに、薬品コードと対応付けて単価を記憶させる（Ｓ２０９）。このように、すべての薬品について処理した時点で終了する（Ｓ２１０）。
【００３４】
続いて、図２のＳ１０３からＳ１１０までの処理について詳述する。図１１は、院内費用分析システムのうちレセプト対象判定から廃棄損算出までの処理に係るモジュール構成例を示す図である。院内費用分析システムは、更にレセプト対象判定部１０、レセプト請求済薬品費算出部１１、部署マスタ記憶部１２、レセプト請求済薬品費記憶部１３、レセプト未請求薬品費算出部１４、レセプト未請求薬品費記憶部１５、レセプト対象外薬品費算出部１６、レセプト対象外薬品費記憶部１７、廃棄損算出部１８、及び廃棄損記憶部１９の各要素を有している。
【００３５】
図２に示すように、薬品リスト記憶部６の薬品リストに含まれる薬品毎に以下の処理を繰り返す（Ｓ１０３）。レセプト対象判定部１０によるレセプト対象判定処理（Ｓ１０４）では、判定対象の薬品の薬品コードが、レセプト対象マスタのいずれかの薬品コードと一致する場合には、レセプト対象と判定し、いずれの薬品コードにも一致しない場合には、レセプト対象ではないと判定する。
【００３６】
レセプト対象の場合には、まずレセプト請求済薬品費算出部１１によるレセプト請求済薬品費算出処理（Ｓ１０５）を行なう。
【００３７】
図１２は、レセプト請求済薬品費算出処理フローを示す図である。部署マスタ記憶部１２の部署マスタに含まれる部署毎に以下の処理を繰り返す（Ｓ３０１）。
【００３８】
図１３は、部署マスタの例を示す図である。医療施設に含まれる部署毎にレコードを設け、部署コードと部署名の項目を対応付けて記憶するように構成されている。
【００３９】
図１２に示すように、レセプトデータベース３から当該薬品の薬品コードを有するサブテーブルを特定し、そのサブテーブルから当該部署の部署コードを有するレコードを特定し、そのレコードに含まれる請求量を取得する（Ｓ３０２）。次に、単価マスタから当該薬品の薬品コードに対応する単価を取得し（Ｓ３０３）、請求量に単価を乗じて、請求金額を求める（Ｓ３０４）。そして、請求金額を、当該薬品の当該部署におけるレセプト請求済薬品費としてレセプト請求済薬品費記憶部１３に記憶させる（Ｓ３０５）。レセプト請求済薬品費記憶部１３は薬品コードと部署コードを特定して、その組み合わせに対応させてレセプト請求済薬品費を記憶するように構成されている。そして、すべての部署について処理した時点で（Ｓ３０６）、薬品コードと部署コードの組み合わせに対応させて記憶したレセプト請求済薬品費をすべて読み出し、合算してレセプト請求済薬品費の合計金額を算出する（Ｓ３０７）。そして、その合計金額もレセプト請求済薬品費記憶部１３に記憶させる。
【００４０】
次に図２に示すように、レセプト請求済薬品費算出部１１によるレセプト請求済薬品費算出処理（Ｓ１０５）に続いて、レセプト未請求薬品費算出部１４によるレセプト未請求薬品費算出処理（Ｓ１０６）を行なう。
【００４１】
図１４は、レセプト未請求薬品費算出処理フローを示す図である。部署マスタ記憶部１２の部署マスタに含まれる部署毎に以下の処理を繰り返す（Ｓ４０１）。レセプト請求済薬品費記憶部１３から、当該薬品コードと当該部署コードの組み合わせに対応するレセプト請求済薬品費を取得する（Ｓ４０２）。次に、物流管理データベース２の消費管理データテーブル２Ａから当該薬品の薬品コードを有するサブテーブルを特定し、そのサブテーブルから当該部署の部署コードを有するレコードを特定し、そのレコードに含まれる消費金額を取得する（Ｓ４０３）。そして、消費金額からレセプト請求済薬品費を差し引いて、未請求金額を求める（Ｓ４０４）。この未請求金額を、当該薬品の当該部署におけるレセプト未請求薬品費としてレセプト未請求薬品費記憶部１５に記憶させる（Ｓ４０５）。レセプト未請求薬品費記憶部１５は薬品コードと部署コードを特定して、その組み合わせに対応させてレセプト未請求薬品費を記憶するように構成されている。そして、すべての部署について処理した時点で（Ｓ４０６）、薬品コードと部署コードの組み合わせに対応させて記憶したレセプト未請求薬品費をすべて読み出し、合算してレセプト未請求薬品費の合計金額を算出する（Ｓ４０７）。そして、その合計金額もレセプト未請求薬品費記憶部１５に記憶させる。
【００４２】
次に図２に示すように、廃棄損算出部１８による廃棄損算出処理（Ｓ１０７）を行なう。
【００４３】
図１５は、廃棄損算出処理フローを示す図である。部署マスタ記憶部１２の部署マスタに含まれる部署毎に以下の処理を繰り返す（Ｓ５０１）。物流管理データベース２の廃棄管理データテーブル２Ｂから、当該薬品の薬品コードを有するサブテーブルを特定し、そのサブテーブルから当該部署の部署コードを有するレコードを特定し、そのレコードに含まれる廃棄金額を取得する（Ｓ５０２）。そして、廃棄金額を、当該薬品の当該部署における廃棄損として記憶させる（Ｓ５０３）。廃棄損記憶部１９は薬品コードと部署コードを特定して、その組み合わせに対応するように廃棄損を記憶するように構成されている。そして、すべての部署について処理した時点で（Ｓ５０４）、薬品コードと部署コードの組み合わせに対応するように記憶した廃棄損をすべて読み出し、合算して廃棄損の合計金額を算出する（Ｓ５０５）。そして、その合計金額も廃棄損記憶部１９に記憶させる。
【００４４】
図２のＳ１０４のレセプト対象判定処理で、レセプト対象外と判定した場合には、レセプト対象外薬品費算出部１６によるレセプト対象外薬品費算出処理（Ｓ１０８）を行なう。
【００４５】
図１６は、レセプト対象外薬品費算出処理フローを示す図である。部署マスタ記憶部１２の部署マスタに含まれる部署毎に以下の処理を繰り返す（Ｓ６０１）。物流管理データベース２の消費管理データテーブル２Ａから、当該薬品の薬品コードを有するサブテーブルを特定し、そのサブテーブルから当該部署の部署コードを有するレコードを特定し、そのレコードに含まれる消費金額を取得する（Ｓ６０２）。消費金額を、当該薬品の当該部署におけるレセプト対象外薬品費としてレセプト対象外薬品費記憶部１７に記憶させる（Ｓ６０３）。レセプト対象外薬品費記憶部１７は薬品コードと部署コードを特定して、その組み合わせに対応させてレセプト対象外薬品費を記憶するように構成されている。そして、すべての部署について処理した時点で（Ｓ６０４）、薬品コードと部署コードの組み合わせに対応させて記憶したレセプト対象外薬品費をすべて読み出し、合算してレセプト対象外薬品費の合計金額を算出する（Ｓ６０５）。そして、その合計金額もレセプト対象外薬品費記憶部１７に記憶させる。
【００４６】
図２に示すようにレセプト対象外の場合も、前述と同様に廃棄損算出部１８による廃棄損算出処理（Ｓ１０９）を行なう。
【００４７】
そして、上述の処理をすべての薬品について行なった時点で（Ｓ１１０）、次に院内物流管理薬品費算出処理（Ｓ１１１）と内訳出力処理（Ｓ１１２）を行なう。
【００４８】
次に、院内物流管理薬品費算出と内訳出力の各処理について詳述する。図１７は、院内費用分析システムのうち院内物流管理薬品費算出と内訳出力に係るモジュール構成例を示す図である。院内費用分析システムは、更に院内物流管理薬品費算出部２０、院内物流管理薬品費記憶部２１、及び内訳出力部２２を有する。
【００４９】
院内物流管理薬品費算出部２０による院内物流管理薬品費算出処理（Ｓ１１１）について詳述する。図１８は、院内物流管理薬品費算出処理フローを示す図である。まず、財務データベース１から所定期間内の薬品購入金額（薬品費）を取得し（Ｓ７０１）、レセプト請求済薬品費記憶部１３からレセプト請求済薬品費の合計金額を取得し（Ｓ７０２）、レセプト未請求薬品費記憶部１５からレセプト未請求薬品費の合計金額を取得し（Ｓ７０３）、レセプト対象外薬品費記憶部１７からレセプト対象外薬品費の合計金額を取得し（Ｓ７０４）、廃棄損記憶部１９から廃棄損の合計金額（レセプト対象分とレセプト対象外分の合計）を取得する（Ｓ７０５）。そして、薬品購入金額からレセプト請求済薬品費、レセプト未請求薬品費、レセプト対象外薬品費、及び廃棄損の各合計金額を差し引いて、院内物流管理薬品費の金額を求め（Ｓ７０６）、院内物流管理薬品費記憶部２１に記憶させる。
【００５０】
最後に、図２に示すように内訳出力部２２による内訳出力処理（Ｓ１１２）を行なう。図１９と図２０は、内訳出力処理フローを示す図である。
【００５１】
財務データベース２から薬品購入金額（薬品費）を取得し（Ｓ８０１）、振替伝票データの貸方勘定に薬品費の科目を設け、貸方金額に薬品購入金額を設定する（Ｓ８０２）。次に、レセプト請求済薬品費記憶部１３からレセプト請求済薬品費の合計金額を取得し（Ｓ８０３）、振替伝票データの借方勘定にレセプト請求済薬品費の科目を設け、借方金額にレセプト請求済薬品費の合計金額を設定する（Ｓ８０４）。次に、レセプト未請求薬品費記憶部１５からレセプト未請求薬品費の合計金額を取得し（Ｓ８０５）、振替伝票データの借方勘定にレセプト未請求薬品費の科目を設け、借方金額にレセプト未請求薬品費の合計金額を設定する（Ｓ８０６）。次に、レセプト対象外薬品費記憶部１７からレセプト対象外薬品費の合計金額を取得し（Ｓ８０７）、振替伝票データの借方勘定にレセプト対象外薬品費の科目を設け、借方金額にレセプト対象外薬品費の合計金額を設定する（Ｓ８０８）。次に、廃棄損記憶部１９から廃棄損の合計（レセプト対象分とレセプト対象外分の合計）を取得し（Ｓ８０９）、振替伝票データの借方勘定に廃棄損の科目を設け、借方金額に廃棄損の合計金額を設定する（Ｓ８１０）。最後に、院内物流管理薬品費記憶部２１から院内物流管理薬品費の金額を取得し（Ｓ８１１）、振替伝票データの借方勘定に院内物流管理薬品費の科目を設け、借方金額に院内物流管理薬品費の金額を設定する（Ｓ８１２）。このようにして生成した振替伝票データを出力する（Ｓ８１３）。
【００５２】
図２１は、振替伝票データの例を示す図である。上述に示した処理の結果、図に示すように、借方勘定に、レセプト請求済薬品費とレセプト未請求薬品費とレセプト対象外薬品費と廃棄損と院内物流管理薬品費の科目を有し、貸方勘定に、薬品費を有する伝票が生成される。
【００５３】
実施の形態２．
前述の実施の形態では、レセプト対象の薬品について、レセプト請求済薬品費とレセプト未請求薬品費と廃棄損に薬品費を分けたが、レセプト対象薬品費と廃棄損に薬品費を分ける形態も考えられる。
【００５４】
図２２は、実施の形態２における費用分析の全体処理フローを示す図である。本実施の形態では、レセプト請求済薬品費算出処理（Ｓ１０５）とレセプト請求済薬品費算出処理（Ｓ１０６）に代えて、レセプト対象薬品費算出処理（Ｓ９０１）を行う。
【００５５】
図２３は、実施の形態２における院内費用分析システムのうちレセプト対象判定から廃棄損算出までの処理に係るモジュール構成例を示す図である。図１１のレセプト請求済薬品費算出部１１とレセプト未請求薬品費算出部１４に代えて、レセプト対象薬品費算出部２３を設け、レセプト請求済薬品費記憶部１３とレセプト未請求薬品費記憶部１５に代えて、レセプト対象薬品費記憶部２４を設けている。
【００５６】
レセプト対象薬品費算出部２３によるレセプト対象薬品費算出処理（Ｓ９０１）について詳述する。図２４は、レセプト対象薬品費算出処理フローを示す図である。部署マスタ記憶部１２の部署マスタに含まれる部署毎に以下の処理を繰り返す（Ｓ１００１）。物流管理データベース２の消費管理データテーブル２Ａから、当該薬品の薬品コードを有するサブテーブルを特定し、そのサブテーブルから当該部署の部署コードを有するレコードを特定し、そのレコードに含まれる消費金額を取得する（Ｓ１００２）。消費金額を、当該薬品の当該部署におけるレセプト対象薬品費としてレセプト対象薬品費記憶部２４に記憶させる（Ｓ１００３）。レセプト対象薬品費記憶部２４は薬品コードと部署コードを特定して、その組み合わせに対応させてレセプト対象薬品費を記憶するように構成されている。そして、すべての部署について処理した時点で（Ｓ１００４）、薬品コードと部署コードの組み合わせに対応させて記憶したレセプト対象薬品費をすべて読み出し、合算してレセプト対象薬品費の合計金額を算出する（Ｓ１００５）。そして、その合計金額もレセプト対象薬品費記憶部２４に記憶させる。
【００５７】
図２５は、実施の形態２における院内費用分析システムのうち院内物流管理薬品費算出と内訳出力に係るモジュール構成例を示す図である。
【００５８】
院内物流管理薬品費算出部２０による院内物流管理薬品費算出処理（Ｓ１１１）では、図１８に示したＳ７０２とＳ７０３に代えて、レセプト対象薬品費記憶部２３からレセプト対象薬品費の合計金額を取得するステップを設け、Ｓ７０６では、薬品購入金額からレセプト対象薬品費、レセプト対象外薬品費、及び廃棄損の各合計金額を差し引いて、院内物流管理薬品費の金額を求め（Ｓ７０６）、院内物流管理薬品費記憶部２１に記憶させる。
【００５９】
また、内訳出力部２２による内訳出力処理（Ｓ１１２）では、図１９に示したＳ８０３からＳ８０６に代えて、レセプト対象薬品費記憶部２４からレセプト対象薬品費の合計金額を取得するステップと、振替伝票データの借方勘定にレセプト対象薬品費の科目を設け、借方金額にレセプト対象薬品費の合計金額を設定するステップを設ける。
【００６０】
図２６は、実施の形態２における振替伝票データの例を示す図である。上述に示した処理の結果、図に示すように、借方勘定に、レセプト対象薬品費とレセプト対象外薬品費と廃棄損と院内物流管理薬品費の科目を有し、貸方勘定に、薬品費を有する伝票が生成される。
【００６１】
実施の形態３．
上述の実施の形態では、単価算出部７による単価算出処理（Ｓ１０２）で薬品の単価を算出して単価マスタを生成したが、単価マスタは外部から入力するようにしても構わない。
【００６２】
実施の形態４．
薬品を廃棄しないように運用されている場合には、廃棄損の計算を省略しても構わない。その場合には、院内物流管理薬品費算出処理において、薬品費から差し引く項目から廃棄損を除いて減算を行なう。また、内訳処理では、借方勘定への廃棄損の設定を省くように動作する。
【００６３】
実施の形態５．
上述の実施の形態では、いずれも薬品を例として説明したが、診療材料に対しても同様に実施できる。薬品コードは、診療材料コードに置き換わり、薬品名は、診療材料名に置き換わり、薬品リストは、診療材料リストに置き換わり、レセプト請求済薬品費は、レセプト請求済診療材料費に置き換わり、レセプト未請求薬品費は、レセプト未請求診療材料費に置き換わり、レセプト対象外薬品費は、レセプト対象外診療材料費に置き換わり、院内物流管理薬品費は、院内物流管理診療材料費に置き換わり、薬品費は、診療材料費に置き換わる。また、レセプト対象薬品費は、レセプト対象診療材料費に置き換わる。システムの構成や動作は、同様である。
【００６４】
上述の院内費用分析システムは、コンピュータであり、各要素はプログラムにより処理を実行することができる。また、プログラムを記憶媒体に記憶させ、記憶媒体からコンピュータに読み取られるようにすることができる。
【図面の簡単な説明】
【００６５】
【図１】院内費用分析システムの概要を説明する図である。
【図２】費用分析の全体処理フローを示す図である。
【図３】院内費用分析システムのうち薬品リスト生成と単価計算に係るモジュール構成例を示す図である。
【図４】物流管理データベースの消費管理データテーブルの例を示す図である。
【図５】物流管理データベースの廃棄管理データテーブルの例を示す図である。
【図６】薬品リストの例を示す図である。
【図７】単価算出処理フローを示す図である。
【図８】単価マスタの例を示す図である。
【図９】レセプト対象マスタの例を示す図である。
【図１０】レセプトデータベースの例を示す図である。
【図１１】院内費用分析システムのうちレセプト対象判定から廃棄損算出までの処理に係るモジュール構成例を示す図である。
【図１２】レセプト請求済薬品費算出処理フローを示す図である。
【図１３】部署マスタの例を示す図である。
【図１４】レセプト未請求薬品費算出処理フローを示す図である。
【図１５】廃棄損算出処理フローを示す図である。
【図１６】レセプト対象外薬品費算出処理フローを示す図である。
【図１７】院内費用分析システムのうち院内物流管理薬品費算出と内訳出力に係るモジュール構成例を示す図である。
【図１８】院内物流管理薬品費算出処理フローを示す図である。
【図１９】内訳出力処理フロー（１／２）を示す図である。
【図２０】内訳出力処理フロー（２／２）を示す図である。
【図２１】振替伝票データの例を示す図である。
【図２２】実施の形態２における費用分析の全体処理フローを示す図である。
【図２３】実施の形態２における院内費用分析システムのうちレセプト対象判定から廃棄損算出までの処理に係るモジュール構成例を示す図である。
【図２４】レセプト対象薬品費算出処理フローを示す図である。
【図２５】実施の形態２における院内費用分析システムのうち院内物流管理薬品費算出と内訳出力に係るモジュール構成例を示す図である。
【図２６】実施の形態２における振替伝票データの例を示す図である。
【符号の説明】
【００６６】
１  財務データベース、２  物流管理データベース、２Ａ  消費管理データテーブル、２Ｂ  廃棄管理データテーブル、３  レセプトデータベース、４  費用分析部、５  薬品リスト生成部、６  薬品リスト記憶部、７  単価算出部、８  レセプト対象マスタ記憶部、９  単価マスタ記憶部、１０  レセプト対象判定部、１１  レセプト請求済薬品費算出部、１２  部署マスタ記憶部、１３  レセプト請求済薬品費記憶部、１４  レセプト未請求薬品費算出部、１５  レセプト未請求薬品費記憶部、１６  レセプト対象外薬品費算出部、１７  レセプト対象外薬品費記憶部、１８  廃棄損算出部、１９  廃棄損記憶部、２０  院内物流管理薬品費算出部、２１  院内物流管理薬品費記憶部、２２  内訳出力部、２３レセプト対象薬品費算出部、２４  レセプト対象薬品費記憶部。
【図１】
2007058280.tif 000003
【図２】
2007058280.tif 000004
【図３】
2007058280.tif 000005
【図４】
2007058280.tif 000006
【図５】
2007058280.tif 000007
【図６】
2007058280.tif 000008
【図７】
2007058280.tif 000009
【図８】
2007058280.tif 000010
【図９】
2007058280.tif 000011
【図１０】
2007058280.tif 000012
【図１１】
2007058280.tif 000013
【図１２】
2007058280.tif 000014
【図１３】
2007058280.tif 000015
【図１４】
2007058280.tif 000016
【図１５】
2007058280.tif 000017
【図１６】
2007058280.tif 000018
【図１７】
2007058280.tif 000019
【図１８】
2007058280.tif 000020
【図１９】
2007058280.tif 000021
【図２０】
2007058280.tif 000022
【図２１】
2007058280.tif 000023
【図２２】
2007058280.tif 000024
【図２３】
2007058280.tif 000025
【図２４】
2007058280.tif 000026
【図２５】
2007058280.tif 000027
【図２６】
2007058280.tif 000028